(57)【要約】【課題】演奏会場が、中世における個人のホールから現代のように大規模なコンサートホールへ移り変わるにつれて、音を強大にすることが要求され、駒の高さを高くしたり、弦に圧力をかけて上からの力（垂直抗力）を大きくする。しかしながら、駒を高くして弦に圧力をかけ過ぎると弦が切れたり、垂直方向の圧力が大きすぎると弦が下方向に押し付けられてしまい、水平方向の振動を阻害する要因となり、弦はきれいな形で振動できず潰れた音になり、響きのある音量が出ない。【解決手段】ボディの後端部に配置したテールピースの前方部と棹の先端に設けたペグとの間に駒によって支持された弦を張設し、テールピースの後方部からテールガットを導出してボディの下方に設けたエンドピンに連結してボディに固定し、テールピースの後方部にテールガットを挿通する２つの挿通孔を有し、テールガットを導出する挿出孔は、テールガットの先端を引き出す挿通孔の前方から挿通孔を屈折させてテールピースの後端部の下面側に穿設する。【選択図】図１
2015075702.tif 000002
【特許請求の範囲】
【請求項１】
ボディの表面後端に配置したテールピースの前方部と棹の先端に設けたペグとの間に駒によって支持された弦を張設し、テールピースの後方部からテールガットを導出してボディの最下端に設けたエンドピンに連結してボディに固定したバイオリンのテールピースであって、前記テールピースの後方部に前記テールガットを挿通する２つの挿通孔を有し、前記テールガットを導出する挿出孔は、前記テールガットの先端を引き出す挿通孔の前方から挿通孔を屈折させてテールピースの後方部の下面側に穿設することを特徴とするバイオリンのテールピース。
【請求項２】
前記テールピースの前方部に設けた弦係止用穴は、前記駒によって支持された弦と平行になる位置に穿設することを特徴とする請求項１記載のバイオリンのテールピース。
【請求項３】
前記テールピースの前方部に設けた弦係止用穴は、高音用の弦と低音用の弦とで穿設する位置を変えることを特徴とする請求項１又は２記載のバイオリンのテールピース。
【請求項４】
前記テールピースは、弦が係止される前方部は幅を広く、テールガットを導出する後方部は幅を細く、その中間部分は、羽子板状のくびれを持たせることを特徴とする請求項１から３の何れかに記載のバイオリンのテールピース。
【請求項５】
前記テールピースは、高域の響きを良くするためにイジュ材で形成することを特徴とする請求項１から４の何れかに記載のバイオリンのテールピース。
【発明の詳細な説明】
【技術分野】
【０００１】
本発明は、新しい発想によりテールピースを改良して、弦に圧力をかけなくても響きのある安定した音質、音量の改善を可能とするバイオリンのテールピースに関するものである。
【背景技術】
【０００２】
バイオリン、ビオラ、チェロ、コントラバス等に分類される擦弦楽器の一例であるバイオリンについてその基本構造を説明する。図７に示すように、バイオリン１００は、中空の共鳴胴を形成するボディ２００と、ボディ２００の先端に設けられた棹３００と、４本の弦４００（第１〜第４の弦４００ａ〜４００ｄ）とからなる。ボディ２００は、表板２１０と裏板２２０と、これらを連結する側板２３０とからなり、表板２１０の裏面には、図示はされてないが、弦４００の張力によってかかる圧縮荷重に対して強度をあげる補強材として力木が張り付けられ、表板２１０と裏板２２０の間には魂柱が立設され、更に、表板２１０の裏面には、所定長さのスティフナーを２本設け低音域から高音域まで安定した音量を出すことが出来る（特許文献１参照）。
【０００３】
４本の弦４００（第１〜第４の弦４００ａ〜４００ｄ）の一端は、棹３００の先端に設けたペグ５００にそれぞれ巻き付けられ、他端は、ボディ２００の表板２１０の表面後端に配置したテールピース６００によって係止され、中間部分は、ペグ５００に近い部分が上駒７００によって支持され、テールピース６００に近い部分が表板２１０と裏板２２０の間に立設された魂柱の表板２１０上に設けた駒８００によって支持されている。
【０００４】
テールピース６００は、図８（ａ）から図８（ｃ）に示すように、柘植、黒壇等の木材によって形成され、前方部に弦支持部６１０と４つの弦係止用穴６２０をそれぞれ有し、これらの弦係止用穴６２０に第１〜第４の弦４００ａ〜４００ｄの他端が挿通されて係止される。ただし、高音用の第１の弦４００ａ（Ｅ線）は細く大幅に音が狂うことがないので、微調節用のアジャスター４１０を経由してテールピース６００によって係止される。
【０００５】
一方、テールピース６００の後方部の下面側６００Ｒには、開通する２つの直穴挿通孔６３０を有し、この直穴挿通孔６３０の後方からテールガット６４０の両先端を挿通し、直穴挿通孔６３０の前方から引き出された両先端に六角ナット６５０をそれぞれ螺合することにより、テールピース６００からの脱落を防止している。直穴挿通孔６３０の後方から外部に突出しているテールガット６４０のＵ字状部分６４０Ｕは、ボディ２００の最下端２６０に設けられたエンドピン２７０に連結され、テールピース６００をボディ２００に固定している（特許文献２参照）。
【先行技術文献】
【特許文献】
【０００６】
【特許文献１】特開平０５−２７３９６３号公報
【特許文献２】特開２０００−２５９１４９号公報
【発明の概要】
【発明が解決しようとする課題】
【０００７】
バイオリン１００は、弓で４本の弦４００を擦ることによって弦４００を振動させ、その弦４００の振動を駒８００を通じてボディ２００本体に伝え、共鳴させて音を出す仕組みになっており、その構造は古代から大きく変わってないが、演奏会場が、中世における個人のホールから現代のように大規模なコンサートホールへ移り変わるにつれて、音を強大にすることが要求される。そのために、特許文献１のようにボディ２００の構造を複雑にしたり、特許文献２のようにテールピース６００の長さを種々変更して、弦４００に圧力をかけて横方向の振動を大きくして音量の増大を図っている。
【０００８】
しかしながら、弦４００に圧力をかけ過ぎると弦４００が下方向に押し付けられてしまい、水平方向の振動を阻害する要因となり、弦はきれいな形で振動できず潰れた音になり、響きのある音量を出せなくなるという問題点がある。本発明は、従来のテールピースを改良して、テールピースに新しい機能を持たせ、弦に圧力をかけなくても響きのある安定した音質、音量を出すことを目的とする。
【課題を解決するための手段】
【０００９】
上記目的を達成するため、請求項１のバイオリンのテールピースは、ボディの表面後端に配置したテールピースの前方部と棹の先端に設けたペグとの間に駒によって支持された弦を張設し、テールピースの後方部からテールガットを導出してボディの最下端に設けたエンドピンに連結してボディに固定したバイオリンのテールピースであって、テールピースの後方部にテールガットを挿通する２つの挿通孔を有し、テールガットを導出する挿出孔は、テールガットの先端を引き出す挿通孔の前方から挿通孔を屈折させてテールピースの後方部の下面側に穿設することを特徴とするものである。
【００１０】
また、請求項２のバイオリンのテールピースは、請求項１記載のバイオリンのテールピースであって、テールピースの前方部に設けた弦係止用穴は、駒によって支持された弦と平行になる位置に穿設することを特徴とするものである。
【００１１】
また、請求項３のバイオリンのテールピースは、請求項１又は２記載のバイオリンのテールピースであって、テールピースの前方部に設けた弦係止用穴は、高音用の弦と低音用の弦とで穿設する位置を変えることを特徴とするものである。
【００１２】
また、請求項４のバイオリンのテールピースは、請求項１から３の何れかに記載のバイオリンのテールピースであって、テールピースは、弦が係止される前方部は幅を広く、テールガットを導出する後方部は幅を細く、その中間部分は、羽子板状のくびれを持たせることを特徴とするものである。
【００１３】
また、請求項５のバイオリンのテールピースは、請求項１から４の何れかに記載のバイオリンのテールピースであって、テールピースは、高域の響きを良くするためにイジュ材で形成することを特徴とするものである。
【発明の効果】
【００１４】
本発明に係るバイオリンのテールピースによれば、テールピースの後方部にテールガットを挿通する２つの挿通孔を有し、テールガットを導出する挿出孔は、テールガットの先端を引き出す挿通孔の前方から挿通孔を屈折させてテールピースの後方部の下面側に穿設したので、テールガットをテールピースの後方部の下面側に穿設した挿出孔から引き出してエンドピンに固定したときに、弦の引っ張り張力によって挿通孔の屈折部分を基点として、上向きに引っ張られ、その反動でテールピースの前方部は、ボディの表板に向かう圧力が発生し、テールピースに反りストレス即ち、揺動作用を与え、駒の振動をテールピースで受け取り、テールピース自身も駒に比例した音で振動し、テールピースとボディの表板の間の空気層を震わせて更に広がった音の振動を伝播する。それらの広がった音の振動が重なり合って強大な音響エネルギーを生成し、演奏会場の雰囲気感と残響感を創り出してバイオリンに響きのある安定した音質、音量を与える。
【００１５】
また、本発明に係るバイオリンのテールピースによれば、テールピースの前方部に設けた弦係止用穴は、駒によって支持された弦と平行になる位置に穿設し、又は、高音用の弦と低音用の弦とで穿設する位置を変え、或いは、弦が係止される前方部は幅を広く、テールガットを導出する後方部は幅を細く、その中間部分は、羽子板状のくびれを持たせたので、弦の振動に応じて駒の振動をテールピースで受け取り、テールピース自身も駒に比例した音で振動し、テールピースとボディの表板の間の空気層を震わせて更に広がった音の振動を伝播する。それらの広がった音の振動が重なり合って強大な音響エネルギーを生成し、演奏会場の雰囲気感と残響感を創り出してバイオリンに響きのある安定した音質、音量を与える。
【００１６】
更に、本発明に係るバイオリンのテールピースによれば、材質をイジュ材としたので、従来の柘植、黒壇等の材質に比べ高域の響きを良くすることが出来る。
【図面の簡単な説明】
【００１７】
【図１】本発明に係るテールピースを備えたバイオリンの外観斜視図である。
【図２】本発明に係るテールピースの第１の実施形態を示し、（ａ）は平面図、（ｂ）は側面図、（ｃ）は底面図である。
【図３】図２に示したテールピースの一部を断面図にした要部側面図である。
【図４】第１の実施形態のテールピースの作用を示す説明図である。
【図５】本発明に係るテールピースの第２の実施形態を示す平面図である。
【図６】図５に示したテールピースを備えたバイオリンの要部外観斜視図である。
【図７】従来のバイオリンの外観斜視図である。
【図８】従来のテールピースを示し、（ａ）は平面図、（ｂ）は側面図、（ｃ）は底面図である。
【発明を実施するための形態】
【実施例】
【００１８】
以下、本発明を図面に示す実施形態に基づいて説明する。図１は本発明に係るテールピースを備えたバイオリンの外観斜視図、図２は本発明に係るテールピースの第１の実施形態を示す図で、（ａ）〜（ｃ）はそれぞれ平面図、側面図、底面図、図３は図２に示したテールピースの一部を断面図にした要部側面図、図４は第１の実施形態のテールピースの作用を示す説明図である。
【００１９】
本発明のバイオリン１０は、図１に示すように、中空の共鳴胴を形成するボディ２０と、ボディ２０の先端に設けられた棹３０と、４本の弦４０（第１〜第４の弦４０ａ〜４０ｄ）とからなる。ボディ２０は、表板２１と裏板２２と、これらを連結する側板２３とからなり、表板２１の裏面には、図示はされてないが、弦４０の張力によってかかる圧縮荷重に対して強度をあげる補強材として力木が張り付けられ、表板２１と裏板２２の間には魂柱が立設されている。４本の弦４０（第１〜第４の弦４０ａ〜４０ｄ）の一端は、棹３０の先端に設けたペグ５０にそれぞれ巻き付けられて係止され、他端は、ボディ２０の表板２１の表面後端に配置したテールピース６０によって係止され、中間部分は、ペグ５０に近い部分が上駒７０によって支持され、テールピース６０に近い部分が表板２１と裏板２２の間に立設された魂柱の表板２１上に設けた駒８０によって支持されている。
【００２０】
テールピース６０は、図２（ａ）から図２（ｃ）に示すように、前方部６０Ｆに弦支持部６１と４つの弦係止用穴６２をそれぞれ有し、これらの弦係止用穴６２に第１〜第４の弦４０ａ〜４０ｄの後方端が挿通されて係止される。ただし、高音用の第１の弦４０ａ（Ｅ線）は細く大幅に音が狂うことがないので、微調節がしやすいようにアジャスター４１を経由してテールピース６０によって係止される。テールピース６０の前方部６０Ｆに設けた弦係止用穴６２は、駒８０に支持された第１〜第４の弦４０ａ〜４０ｄとそれぞれ平行になる位置に穿設し、駒８０の振動をテールピース６０に伝え易くする。
【００２１】
一方、テールピース６０の後方部６０Ｂの下面側６０Ｒには、テールガット６４を挿通する２つの挿通孔６３を有し、この挿通孔６３の後方からテールガット６４の両先端が挿通され、挿通孔６３の前方から引き出された両先端に六角ナット６５をそれぞれ螺合して、テールピース６０から脱落しないように防止している。テールピース６０の後方部６０Ｂからテールガット６４を導出する挿出孔６６は、図３に示すように、テールガット６４の先端を引き出す挿通孔６３の前方から挿通孔６３を屈折させてテールピース６０の後方部６０Ｂの下面側６０Ｒに穿設する。テールピース６０の後方部６０Ｂから導出するテールガット６４のＵ字状部分６４Ｕは、ボディ２０の最下端２６に設けたエンドピン２７に連結され、テールピース６０をボディ２０に固定している。
【００２２】
このように構成されたバイオリンのテールピース６０は、その前方部６０Ｆが、図４に示すように、弦４０に係止され、その後方部６０Ｂは、図３に示すように、テールガット６４のＵ字状部分６４Ｕが導出している。テールガット６４を導出する挿出孔６６は、テールガット６４の先端を引き出す挿通孔６３の前方から挿通孔６３を屈折させてテールピースの後方部６０Ｂの下面側６０Ｒに穿設したので、テールガット６４をテールピース６０の後方部６０Ｂの下面側６０Ｒに穿設した挿出孔６６から引き出してエンドピン２７に固定したときに、弦４０の引っ張り張力によって挿通孔６３の矢印Ａ１、Ａ２で示した２箇所の屈折部分とテールガット６４の矢印Ａ３で示した１箇所の屈折部分の内、矢印Ａ２で示した箇所が矢印Ａ１で示した箇所を基点として、弦４０の引っ張り張力によって上向きに引っ張られ、その反動でテールピース６０の前方部６０Ｆは、図４に示すように、ボディ２０の表板２１に向かう圧力Ｐが発生し、テールピース６０に反りストレス、即ち、弦４０の引っ張り張力に応じて揺動作用を与える。
【００２３】
バイオリン１０は、弓で４本の弦４０を擦ることによって弦４０を振動させ、その弦４０の振動を駒８０を通じてボディ２０本体に伝え、共鳴させて音を出す仕組みになっており、本発明においては、更に、ボディ２０から駒８０の振動を反りストレス、即ち、揺動作用が与えられたテールピース６０で受け取り、駒８０の振動をテールピース６０で受け取り、テールピース６０自身も駒８０に比例した音で振動し、テールピース６０とボディ２０の表板２１の間の空気層を震わせて更に広がった音の振動を伝播する。それらの広がった音の振動が重なり合って強大な音響エネルギーを生成し、演奏会場の雰囲気感と残響感を創り出してバイオリン１０に響きのある安定した音質、音量を与える。
【００２４】
次に、本発明に係るテールピースの第２の実施形態を説明する。図５は本発明に係るテールピースの第２の実施形態を示す平面図、図６は図５に示したテールピースを備えたバイオリンの要部外観斜視図である。
【００２５】
図５、図６に示すように、テールピース６０Ｔは、前述のテールピース６０と同様に、前方部６０ＴＦに弦支持部６１Ｔと４つの弦係止用穴６２Ｔをそれぞれ有し、これらの弦係止用穴６２Ｔに第１〜第４の弦４０ａ〜４０ｄの後方端が挿通されて係止される。弦係止用穴６２Ｔは、高音用の弦と低音用の弦とで穿設する位置を変えている。即ち、高音用の弦である第１〜第２の弦４０ａ〜４０ｂが挿通されて係止される弦係止用穴６２Ｔａ〜６２Ｔｂは、駒８０に対して近い位置に穿設し、低音用の弦である第３〜第４の弦４０ｃ〜４０ｄが挿通されて係止される弦係止用穴６２Ｔｃ〜６２Ｔｄは、駒８０に対して遠い位置に穿設する。したがって、弦係止用穴６２Ｔ（６２Ｔａ〜６２Ｔｄ）を穿設するテールピース６０Ｔの前方部６０ＴＦの形状は階段状に形成されている。
【００２６】
高音用の弦である第１〜第２の弦４０ａ〜４０ｂは、低音用の弦である第３〜第４の弦４０ｃ〜４０ｄと比べると、細く、張力が強いため、ペグで調節する際に強く引かれ、テールピースが傾く欠点があったので、高音用の弦と低音用の弦とで穿設する位置を変えることにより、バランスをとり、弦の張力によりテールピース６０Ｔがずれるのを防止する。
【００２７】
第１の実施形態であるテールピース６０、第２の実施形態であるテールピース６０Ｔともに、弦４０が係止される前方部６０Ｆ、６０ＴＦは幅を広く、テールガット６４を引き出す後方部６０Ｂ、６０ＴＢは幅を細く、その中間部分は、羽子板状のくびれ６０Ｈ、６０ＴＨを持たせることにより、弦４０の振動に応じて駒８０の振動をテールピース６０、６０ＴＨで受け取り
テールピース６０、６０Ｔ自身も駒８０に比例した音で振動し、テールピース６０、６０Ｔとボディ２０の表板２１の間の空気層を震わせて更に広がった音の振動を伝播する。それらの広がった音の振動が重なり合って強大な音響エネルギーを生成し、演奏会場の雰囲気感と残響感を創り出してバイオリン１０に響きのある安定した音質、音量を与える。
【００２８】
又、従来のテールピースは、柘植、黒壇等の木材によって形成していたが、本発明のテールピース６０、６０Ｔは、高域の響きを良くするためにイジュ材で形成するのが好適である。イジュの材の脂（油）により耐久性と加工性が良好でかつ高音が良く出るためである。
【００２９】
以上説明したように、本発明に係るバイオリンのテールピースによれば、テールピースの後方部にテールガットを挿通する２つの挿通孔を有し、テールガットを導出する挿出孔は、テールガットの先端を引き出す挿通孔の前方から挿通孔を屈折させてテールピースの後方部の下面側に穿設したので、テールガットをテールピースの後方部の下面側に穿設した挿出孔から引き出してエンドピンに固定したときに、弦の引っ張り張力によって挿通孔の屈折部分を基点として、上向きに引っ張られ、その反動でテールピースの前方部は、ボディの表板に向かう圧力が発生し、テールピースに反りストレス即ち、揺動作用を与え、駒の振動をテールピースで受け取り、テールピース自身も駒に比例した音で振動し、テールピースとボディの表板の間の空気層を震わせて更に広がった音の振動を伝播する。それらの広がった音の振動が重なり合って強大な音響エネルギーを生成し、演奏会場の雰囲気感と残響感を創り出してバイオリンに響きのある安定した音質、音量を与える。
【００３０】
また、本発明に係るバイオリンのテールピースによれば、テールピースの前方部に設けた弦係止用穴は、駒によって支持された弦と平行になる位置に穿設し、又は、高音用の弦と低音用の弦とで穿設する位置を変え、或いは、弦が係止される前方部は幅を広く、テールガットを導出する後方部は幅を細く、その中間部分は、羽子板状のくびれを持たせたので、弦の振動に応じて駒の振動をテールピースで受け取り、テールピース自身も駒に比例した音で振動し、テールピースとボディの表板の間の空気層を震わせて更に広がった音の振動を伝播する。それらの広がった音の振動が重なり合って強大な音響エネルギーを生成し、演奏会場の雰囲気感と残響感を創り出してバイオリンに響きのある安定した音質、音量を与える。
【００３１】
更に、本発明に係るバイオリンのテールピースによれば、材質をイジュ材としたので、従来の柘植、黒壇等の材質に比べ高域の響きを良くすることが出来る。イジュ材に限らず、ナラ材、松材で形成しても同様の効果を得ることが出来る。
【００３２】
本発明のテールピースにおいては、バイオリンに応用した例を示したが、バイオリンに限らず、ビオラ、チェロ、コントラバス等に分類される擦弦楽器であれば、何にでも応用することが出来る。
【符号の説明】
【００３３】
１０  バイオリン
２０  ボディ
３０  棹
４０  弦
５０  ペグ
６０  テールピース（第１実施形態）
６２  弦係止用穴
６３  挿通孔
６４  テールガット
６６  挿出孔
６０Ｔ  テールピース（第２実施形態）
６２Ｔ  弦係止用穴
７０  上駒
８０  駒
【図１】
2015075702.tif 000003
【図２】
2015075702.tif 000004
【図３】
2015075702.tif 000005
【図４】
2015075702.tif 000006
【図５】
2015075702.tif 000007
【図６】
2015075702.tif 000008
【図７】
2015075702.tif 000009
【図８】
2015075702.tif 000010